(57)【要約】【課題】  低コストで、かつ、耐久性を向上させることが可能なレンズ鏡筒を提供すること。【解決手段】  光軸方向に移動可能である複数の移動部材と、前記光軸と平行な軸周りに回転可能であり、回転することにより、前記複数の移動部材を光軸方向に移動させるカム部材と、を備える。前記カム部材は、前記複数の移動部材とそれぞれ係合する複数の第一のカム溝部と、複数の前記第一のカム溝部とそれぞれ対応するように設けられ、前記第一のカム溝部と光軸方向で所定の距離だけ離した位置に設けた複数の第二のカム溝部と、前記第一のカム溝部の前記カム部材の回転方向端部と前記第一のカム溝部と対応する前記第二のカム溝部の前記カム部材の回転方向端部を接続する第一の接続部と、を有する。【選択図】  図５
2019184853.tif 000002
【特許請求の範囲】
【請求項１】
光軸方向に移動可能である複数の移動部材と、
前記光軸と平行な軸周りに回転可能であり、回転することにより、前記複数の移動部材を光軸方向に移動させるカム部材と、を備え、
前記カム部材は、
前記複数の移動部材とそれぞれ係合する複数の第一のカム溝部と、複数の前記第一のカム溝部とそれぞれ対応するように設けられ、前記第一のカム溝部と光軸方向で所定の距離だけ離した位置に設けた複数の第二のカム溝部と、前記第一のカム溝部の前記カム部材の回転方向端部と前記第一のカム溝部と対応する前記第二のカム溝部の前記カム部材の回転方向端部を接続する第一の接続部と、を有する、
ことを特徴とするレンズ鏡筒。
【請求項２】
所定の使用条件を超えた場合に、前記カム部材を通常使用しない回転位相まで回転させた状態において、前記複数の移動部材を、前記第一の接続部を介して、前記第一のカム溝部から前記第二のカム溝部に移動させるための第一の付勢手段を備えることを特徴とする、請求項１に記載のレンズ鏡筒。
【請求項３】
前記第一の付勢手段は、前記複数の移動部材と当接して前記第一のカム溝部から前記第二のカム溝部の方向に付勢する弾性部材であることを特徴とする請求項２に記載のレンズ鏡筒。
【請求項４】
前記カム部材と当接し、前記カム部材の光軸方向の位置を決める当接部材を、備え、
前記カム部材は、前記当接部材と当接する第一の当接部と、前記第一の当接部と光軸方向で前記所定の距離だけ離した位置に設けた第二の当接部と、前記第一の当接部の前記カム部材の回転方向端部と前記第二の当接部の前記カム部材の回転方向端部を接続する第二の接続部と、を有することを特徴とする、請求項１から３のいずれか一項に記載のレンズ鏡筒。
【請求項５】
所定の使用条件を超えた場合に、前記第二の接続部を介して、前記カム部材と前記当接部材の当接位置を前記第一の当接部から前記第二の当接部に移動させる第二の付勢手段と、を備えることを特徴とする、請求項４に記載のレンズ鏡筒。
【請求項６】
前記第二の付勢手段は、前記カム部材を前記第二の当接部から前記第一の当接部の方向に付勢する弾性部材であることを特徴とする請求項５に記載のレンズ鏡筒。
【請求項７】
前記所定の使用条件は、レンズ鏡筒の総使用時間、または前記カム部材の総回転角度であることを特徴とする、請求項２または５に記載のレンズ鏡筒。
【請求項８】
前記カム部材の材質は、樹脂であることを特徴とする、請求項１から７のいずれか一項に記載のレンズ鏡筒。
【請求項９】
姿勢の変更により、前記複数の移動部材を、前記第一の接続部を介して、前記第一のカム溝部から前記第二のカム溝部に移動させることを特徴とする、請求項１から８のいずれか一項にレンズ鏡筒。
【請求項１０】
請求項１〜９のいずれか一項に記載のレンズ鏡筒と、前記レンズ鏡筒をチルト軸周りに回転させる駆動部と、を備え、
前記駆動部は、前記移動部材の自重が前記第二のカム溝部の方向に働くように、前記レンズ鏡筒を回転させることを特徴とする、撮像装置。
【発明の詳細な説明】
【技術分野】
【０００１】
本発明は、レンズ鏡筒に関し、特にカム部材により、光学素子を保持する保持部材を駆動するレンズ鏡筒に関するものである。
【背景技術】
【０００２】
従来、レンズ鏡筒において、１つの駆動部でレンズや光学フィルタ等の光学素子を保持する複数の移動部材を同時に移動させるために、カム部材を用いる技術が知られている。この構成では、移動部材に設けられた摺動部が、カム部材が回転することにより、カム部材のカム溝内において摺動するように構成されている。
【０００３】
ここで、移動部材の位置は、カム部材と移動部材の摺動部との係合により定まる。よって、カム部材の回転時に摺動部が摩耗していくと、移動部材の位置が初期の使用状態と比較して変化してしまい、移動部材の位置精度が劣化する。
【０００４】
そのため、カム部材と移動部材の摺動部の摩耗を低減するために、ベアリングを用いる技術が知られている。特許文献１では、円筒状のカム筒にカム溝が形成され、カム筒の内側には移動部材が同心状に配置され、移動部材にはカム溝と対応する位置に３つの従節部である支持軸がカム筒に向けて設けられている。
【０００５】
支持軸にはベアリングが固定され、このベアリングを介して、移動部材はカム筒に支持されている。
【先行技術文献】
【特許文献】
【０００６】
【特許文献１】特開２００８−２５７１９６号公報
【発明の概要】
【発明が解決しようとする課題】
【０００７】
しかしながら、監視カメラ等に用いられるレンズ鏡筒には、高い耐久性と共に、低コストであることが求められる。
【０００８】
特許文献１のように、カム部材と係合する移動部材にベアリングを用いて、摺動部の摩耗を低減させる構成のレンズ鏡筒では、移動部材の数だけベアリングが必要となり、ベアリングの分だけコストが高くなる。
【０００９】
したがって、監視カメラ等に用いられるレンズ鏡筒のように、耐久性と共に低コストであることが求められるレンズ鏡筒に対しては、ベアリングを用いずに、耐久性を向上させることが可能な構成であることが望ましい。
【００１０】
以上より、本発明の目的は、カム部材を用いて複数の移動部材を移動させるレンズ鏡筒において、低コストで、かつ、耐久性を向上させることが可能なレンズ鏡筒を提供することである。
【課題を解決するための手段】
【００１１】
上記目的を達成するために、本発明のレンズ鏡筒では、光軸方向に移動可能である複数の移動部材と、前記光軸と平行な軸周りに回転可能であり、回転することにより、前記複数の移動部材を光軸方向に移動させるカム部材と、を備える。前記カム部材は、前記複数の移動部材とそれぞれ係合する複数の第一のカム溝部と、複数の前記第一のカム溝部とそれぞれ対応するように設けられ、前記第一のカム溝部と光軸方向で所定の距離だけ離した位置に設けた複数の第二のカム溝部と、前記第一のカム溝部の前記カム部材の回転方向端部と前記第一のカム溝部と対応する前記第二のカム溝部の前記カム部材の回転方向端部を接続する第一の接続部と、を有することを特徴とする。
【発明の効果】
【００１２】
本発明によれば、カム部材を用いて複数の移動部材を移動させるレンズ鏡筒において、低コストで、かつ、耐久性を向上させることが可能なレンズ鏡筒を提供することができる。
【図面の簡単な説明】
【００１３】
【図１】本実施例のレンズ鏡筒の斜視図
【図２】本実施例のレンズ鏡筒の分解斜視図
【図３】本実施例のカム部材の斜視図
【図４】本実施例のカム部材のカム溝の展開図
【図５】本実施例でレンズ鏡筒が所定の使用条件を超える前後での、移動部材とカム部材の係合位置の関係の説明図
【図６】図５の状態をレンズ鏡筒の断面図で示した説明図
【図７】本実施例でのカム溝とカム係合部の説明図
【図８】本実施例における移動部材の付勢手段である弾性部材の説明図
【図９】他の実施例のレンズ鏡筒を搭載したカメラの斜視図
【図１０】他の実施例のレンズ鏡筒の移動部材に対する付勢方法の説明図
【発明を実施するための形態】
【００１４】
以下に、本発明の好ましい実施の形態を、添付の図面に基づいて詳細に説明する。
【００１５】
＜レンズ鏡筒の全体構成＞
以下、図１から図１０を参照して、本発明の実施例のレンズ鏡筒について説明する。
まず、図１から図４を参照して本実施例のレンズ鏡筒の構成について説明する。
【００１６】
ここで、図１は本実施例のレンズ鏡筒１の斜視図で、図２は本実施例のレンズ鏡筒１の分解斜視図である。図３は本実施例のカム部材２１の斜視図であり、図３（ａ）と図３（ｂ）は違う回転位相での斜視図を示す。
【００１７】
また、図４はカム部材２１の展開図で、図４（ａ）ではカム溝部２１１、２１３とカム溝部２１４の関係、図４（ｂ）はカム溝部２１２とカム溝部２１４の関係を図示する。図５において、図の縦方向はカム部材２１の回転Ｒ方向、図の横方向が光軸Ｘ方向を示す。
【００１８】
本実施例のレンズ鏡筒１において、レンズＬ１は固定部材２に保持されている。ズームレンズＬ２、ズームレンズＬ３は、変倍作用をさせるためのレンズであり、それぞれ移動枠３、移動枠５に保持されている。絞りユニット４は、レンズ鏡筒１の光量を調整するためのものであり、移動枠３と移動枠５の間に配置されている。フォーカスレンズＬ４は合焦作用をさせるためのレンズであり、移動枠６に保持されている。撮像素子９は、レンズ鏡筒１内を通過した光線を受光し、電気信号に変換するものであり、撮像素子基板１５に接続され、固定部材８に保持される。
【００１９】
移動枠３、絞りユニット４、移動枠５は、それぞれカム係合部１８、１９、２０を有する。カム係合部１８、１９、２０が、図４で示すカム部材２１のカム溝部２１１、２１２、２１３と係合することで、移動枠３、絞りユニット４、移動枠５の光軸Ｘ方向の位置が定まる。
【００２０】
ガイドバー１０〜１４は、固定部材２、７によって両端が保持されている。移動枠３はガイドバー１０と１２、絞りユニット４はガイドバー１２と１３、移動枠５はガイドバー１４と１３により、固定部材２、７の内部で光軸Ｘの方向に移動可能に支持される。
【００２１】
また、ガイドバー１６と１７は、固定部材７、８によって両端が保持されている。移動枠６は、ガイドバー１６と１７により、固定部材７、８の内部で光軸Ｘの方向に移動可能に支持される。
【００２２】
カム部材２１は、円筒形であり、光軸と平行に延びるガイドバー２２を中心として回転することで、移動枠３、絞りユニット４、移動枠５を光軸方向に移動させる。言い換えると、移動枠３、絞りユニット４、移動枠５の光軸Ｘ方向の位置は、カム部材２１を回転させることで、カム溝部２１１、２１２、２１３の軌跡に沿って、各々が変化する。
【００２３】
カム部材２１は、ガイドバー２２を中心に回転可能な状態で固定部材２、７の内部に保持されている。ガイドバー２２は、カム部材２１に挿通した状態で固定部材２、７により両端が保持されている。また、カム部材２１の材質は樹脂である。カム部材２１にはギア部２１ａが設けられており、固定部材７に保持されるズームモータ２５のギア部２５ａと噛合うことで、ズームモータ２５の駆動力が伝達され、カム部材２１が回転する。
【００２４】
カム当接部材２４は、カム部材２１と係合する部材であり、固定部材７に保持されている。また、カム部材２１の光軸Ｘ方向の位置は、カム当接部材２４の先端２４ａが図４で示すカム部材２１のカム溝２１４と光軸Ｘ方向で当接することで定められる。
【００２５】
第二の付勢手段の一例としての付勢部材２３は、カム部材２１と固定部材２の間に配置される弾性部材であり、圧縮された状態で保持され、カム部材２１を常に固定部材７の方向に付勢している。
【００２６】
第一の付勢手段の一例としての付勢部材３０、３１、３２は、それぞれ、ガイドバー１０、１２、１４と共に固定部材７に固定される。付勢部材３０、３１、３２は、移動枠３、絞りユニット４、移動枠５を、固定部材２の方向に付勢する弾性部材である。付勢部材３０〜３２は、移動枠３、絞りユニット４、移動枠５をカム溝部２１１ａ〜２１３ａから、カム溝部２１１ｂ〜２１３ｂに移動させるために、移動枠３、絞りユニット４、移動枠５を付勢する。また、付勢部材３０〜３２は、光軸Ｘ方向で通常使用時の移動範囲を超えて、移動枠３、絞りユニット４、移動枠５が撮像素子９の方向に移動しようとした際に、移動枠３、絞りユニット４、移動枠５に当接する。そして、移動枠３、絞りユニット４、移動枠５を固定部材２の方向に付勢する。
【００２７】
ズームモータ２５、フォーカスモータ２７はステッピングモータであり、ＦＰＣ２８と接続され、絞りユニット４はＦＰＣ２９と接続される。ズームモータ２５、フォーカスモータ２７、絞りユニット４は、それぞれＦＰＣ２８、ＦＰＣ２９を介してレンズ鏡筒１の外部と電気的に接続される。フォーカスモータ２７のリードスクリューが、移動枠６に取り付けられたラック２６と噛合った状態でリードスクリューを回転させることで、移動枠６が光軸Ｘの方向に移動する。
【００２８】
＜カム部材２１の詳細＞
次に、カム部材２１のカム溝部の詳細を説明する。図４に示すように、カム部材２１は、移動枠３のカム係合部１８と係合するカム溝２１１、絞りユニット４のカム係合部１９と係合するカム溝２１２、移動枠５のカム係合部２０と係合するカム溝２１３を有している。また、カム部材２１は、固定部材７に保持されたカム当接部材２４と当接するカム溝２１４を、さらに、有している。
【００２９】
カム溝２１１には、第一のカム溝部の一例としてのカム溝部２１１ａと、カム溝部２１１ａのカム軌跡を光軸Ｘ方向に距離Ａ離れたカム軌跡である第二のカム溝部の一例としてのカム溝部２１１ｂが設けられている。ここで、カム溝部２１１ｂは上述のように、カム溝部２１１ａとの光軸Ｘ方向での間隔が距離Ａであれば、設けられる回転位相はカム溝部２１１ａと同じでなくても良い。
【００３０】
カム溝部２１１ａは、所定の使用条件を超える前のレンズ鏡筒１の使用時に、移動枠３のカム係合部１８と係合する。カム溝部２１１ｂは、所定の使用条件を超えた後のレンズ鏡筒１の使用時に、移動枠３のカム係合部１８を係合する。
【００３１】
第一の接続部の一例としてのカム溝部２１１ｃはカム溝部２１１ａとカム溝部２１１ｂを接続している。また、カム溝部２１１ｃは、カム溝部２１４ａのカム部材２１の回転方向端部とカム溝部２１４ｂのカム部材２１の回転方向端部を接続する。
【００３２】
溝部２１１ｄは、光軸Ｘ方向の変位はなく、回転Ｒ方向にのみカム溝が延びている。カム溝２１１ｅは、光軸Ｘ方向に延び、組立時に移動枠３のカム係合部１８をカム溝部２１１ａに導くために設けられている。
【００３３】
以上のように、カム溝２１１はカム溝部２１１ａ〜２１１ｅで構成されている。
【００３４】
また、カム溝２１２、２１３は、図４で示すように、カム溝２１１と同様に、カム溝部２１２ａ〜２１２ｅと、カム溝部２１３ａ〜２１３ｅで構成され、各部は係合する移動部材が異なるのを除き、カム溝２１１と同様の構成である。カム溝部２１２ａと２１２ｂ、カム溝部２１３ａと２１３ｂの関係は、カム溝部２１１ａと２１１ｂの関係と同じく、カムを光軸Ｘ方向に距離Ａだけ移動させた位置に設けられている。
【００３５】
カム溝２１４は、所定の使用条件を超える前のレンズ鏡筒１の使用時に、固定部材７に保持されたカム当接部材２４を当接し、光軸Ｘ方向の変位がなく回転Ｒ方向にのみカム軌跡が伸びた第一の当接部の一例としてのカム溝部２１４ａを有している。
【００３６】
また、カム溝２１４は、カム溝２１１、２１２、２１３と同様に、カム溝部２１４ａのカム軌跡を光軸Ｘ方向に距離Ａ移動させたカム軌跡である第二の当接部の一例としてのカム溝部２１４ｂが設けられている。カム溝部２１４ｂは、所定の使用条件を超えた後のレンズ鏡筒１の使用時に、カム当接部材２４が当接するカム溝である。
【００３７】
また、カム溝部２１４ａとカム溝部２１４ｂは、第二の接続部の一例としてのカム溝部２１４ｃで接続されている。
【００３８】
カム溝部２１４ｄは、回転Ｒ方向の変位がなく、光軸Ｘ方向にのみカム軌跡が伸びている。カム溝部２１４ｅは、光軸Ｘ方向に延び、組立時にカム当接部材２４をカム溝部２１１ａに導くために用いられる。
【００３９】
このように、カム溝２１４はカム溝部２１４ａ、２１４ｂ、２１４ｃ、２１４ｄ、２１４ｅで構成される。
【００４０】
以上のように、移動枠３、絞りユニット４、移動枠５を係合させるカム溝２１１〜２１３は、レンズ鏡筒１が所定の使用条件を超える前後で使用するための、光軸Ｘ方向に距離Ａだけ移動させた同じ軌跡の２つのカム溝部を有する。同様に、カム部材２１がカム当接部材２４と当接するカム溝２１４は、レンズ鏡筒１が所定の使用条件を超える前後で使用するための、光軸Ｘ方向に距離Ａだけ移動させた同じ軌跡の２つのカム溝部を有する。
【００４１】
ここで、所定の使用条件とは、例えば、レンズ鏡筒１の総使用時間や、カム部材２１の総回転角度であり、カム溝部２１１ａ〜２１４ａが使用時の摺動で摩耗が懸念されるようになる値を用いる。
【００４２】
＜移動部材が係合するカム溝の変更＞
次に図５から図８を参照して、本発明の特徴である、レンズ鏡筒１が所定の使用条件を超えた後に、移動部材が係合するカム溝部を光軸方向で同一の距離だけ離れた位置にある同じカム軌跡の別のカム溝部へ変更する過程を説明する。
【００４３】
図５は、レンズ鏡筒１が所定の使用条件を超える前後で、ズームポジションがＷＩＤＥ位置にある場合の移動枠３、絞りユニット４、移動枠５とカム部材２１の位置関係を示したものである。図５（ａ）は所定の使用条件を超える前、図５（ｂ）は所定の使用条件を超えた後の状態を示す。
【００４４】
また、図６は図５をレンズ鏡筒１の断面図を用いて示したもので、図６（ａ）は所定の使用条件を超える前、図６（ｂ）は所定の使用条件を超えた後の状態を示す。図７ではカム部材２１の展開図を用いて、図５（ａ）の状態から、図５（ｂ）の状態となるまでの、カム係合部１８、１９、２０とカム溝２１１、２１２、２１３の係合位置と、カム当接部材２４とカム溝２１４の当接位置の関係を示す。図７において図の縦方向はカム部材２１の回転Ｒ方向、図の横方向が光軸Ｘ方向を示す。また、図７（ａ）はカム部材２１の光軸Ｘ方向の位置が変化する前の状態、図７（ｂ）はカム部材２１の光軸Ｘ方向の位置が変化した後の状態を示す。
【００４５】
図８は、移動枠３がカム溝部２１１ａからカム溝部２１１ｃを介して、カム溝部２１１ｂに移動する過程で、付勢部材３０が移動枠３をカム溝部２１１ａからカム溝部２１１ｂの方向に付勢する様子を図示している。
【００４６】
まず、付勢部材２３によるカム部材２１への付勢とカム当接部材２４、移動枠３、絞りユニット４、移動枠５の移動の関係について説明する。
【００４７】
まず、図５（ａ）、図６（ａ）に示すように、所定の使用条件を超える前のレンズ鏡筒１の使用時は、カム当接部材２４は、カム溝部２１４ａと当接している。このとき、カム部材２１と固定部材７の間には前述の距離Ａよりも大きい、距離Ｂの空間が空いている。また、このとき、移動枠３、絞りユニット４、移動枠５のカム係合部１８、１９、２０は、それぞれカム溝部２１１ａ、２１２ａ、２１３ａと係合している。
【００４８】
次に、図５（ｂ）、図６（ｂ）に示すように、所定の使用条件を超えた後でのレンズ鏡筒１の使用時は、カム当接部材２４は、カム溝部２１４ｂと当接している。このとき、カム部材２１は付勢部材２３の付勢力により、距離Ａだけ固定部材７の方向に移動している。
【００４９】
このとき、移動枠３、絞りユニット４、移動枠５のカム係合部１８、１９、２０は、それぞれカム溝部２１１ｂ、２１２ｂ、２１３ｂと係合している。しかし、図５（ａ）および図６（ａ）の状態に対して、それぞれの移動部材の光軸Ｘ方向の位置は変わらない位置にある。
【００５０】
つまり、移動枠３、絞りユニット４、移動枠５の光軸Ｘ方向の位置はカム部材２１に対しては距離Ａだけ固定部材２の方向に移動するが、カム部材２１自体が距離Ａだけ反対方向である固定部材７の方向に移動するため、相殺されて結果的に位置は変化しない。
【００５１】
また、前述のように、カム溝部２１１ａと２１１ｂ、カム溝部２１２ａと２１２ｂ、カム溝部２１３ａと２１３ｂは同じカム軌跡で設けられている。したがって、移動枠３、絞りユニット４、移動枠５は、カム部材２１に対して、係合するカム溝部が変更された後でも、変更前とレンズ鏡筒１の内部での所定の光学間隔を変えることなく、同じカム軌跡に沿って光軸Ｘ方向の位置を変化させることができる。
【００５２】
ここで、図７（ａ）、（ｂ）を参照して、図５（ａ）の状態から図５（ｂ）になるまでのカム係合部１８、１９、２０とカム溝２１１、２１２、２１３の係合位置と、カム当接部材２４とカム溝２１４の当接位置の関係を説明する。
【００５３】
まず、図７（ａ）において、カム係合部１８、１９、２０がカム溝部２１１ａ、２１２ａ、２１３ａの図中の下側の端で係合し、カム当接部材２４がカム溝部２１４ａの図中の下側の端でカム部材２１と当接した状態が図５（ａ）の状態を示す。
【００５４】
そこから、カム部材２１を通常使用する回転位相の端まで図中の回転角度ｒ１だけ回転させると、カム係合部１８、１９、２０はカム溝部２１１ａ、２１２ａ、２１３ａ上を、カム当接部材２４はカム溝部２１４ａ上を図中の実線で示す矢印のように移動する。
【００５５】
ここで、レンズ鏡筒１が所定の使用条件を超えて使用される場合は、カム溝部２１１ａ〜２１４ａに摩耗が懸念される為、カム溝部２１１ｂ〜２１４ｂに使用するカム溝を変更するために、カム部材２１をさらに図中の回転角度ｒ２だけ回転させる。回転角度ｒ２だけ回転させると、カム部材２１は、通常使用しない回転位相まで回転する。なお、通常使用しない回転位相とは、撮像している状態ではカム部材が回転しない角度である。
【００５６】
このとき、カム係合部１８、１９、２０はカム溝部２１１ｃ、２１２ｃ、２１３ｃ上を、カム当接部材２４はカム溝部２１４ｃ上を破線で示す矢印のように移動し、それぞれ、カム溝部２１１ｄ、２１２ｄ、２１３ｄ、２１４ｄの位置まで移動する。
【００５７】
ここで、カム溝部２１４ｄは回転方向の変位がなく、光軸Ｘ方向にのみ伸びたカム軌跡であるので、付勢部材２３の付勢力Ｆａで押されたカム部材２１はカム溝部２１４ｄに沿って、カム当接部材２４と当接するまで図７（ｂ）に示すように距離Ａ移動する。
【００５８】
次に、図７（ｂ）に示すように、図中の回転角度ｒ３、先程と逆方向にカム部材２１を回転させる。
【００５９】
このとき、カム係合部１８、１９、２０はカム溝部２１１ｄ、２１２ｄ、２１３ｄからカム溝部２１１ｂ、２１２ｂ、２１３ｂの図中の上側の端に、カム当接部材２４はカム溝部２１４ｄからカム溝部２１４ｂの図中の上側の端に、破線で示す矢印のように移動する。
【００６０】
さらに、図７（ｂ）に示すように、図７（ａ）の状態においてカム溝部２１１ａ、２１２ａ、２１３ａの図中の下側の端から上側の端まで、カム係合部１８、１９、２０を移動させるための回転角度ｒ１の分だけ、カム部材２１を逆方向に回転させる。
【００６１】
このとき、カム係合部１８、１９、２０はカム溝部２１１ｂ、２１２ｂ、２１３ｂ上を図中の下側の端の位置まで、カム当接部材２４はカム溝部２１４ｂ上を図中の下側の端の位置まで、実線で示す矢印のように移動する。そして、この状態が図５（ｂ）で示す状態となる。
【００６２】
ここで、図７（ａ）と図７（ｂ）を比較すると、係合するカム溝部がカム溝部２１１ａ、２１２ａ、２１３ａからカム溝部２１１ｂ、２１２ｂ、２１３ｂに変更されても、カム係合部１８、１９、２０の光軸Ｘ方向の位置は変化していない。
【００６３】
したがって、レンズ鏡筒１を使用していく中で、所定の使用条件を超え、カム溝部２１１ａ〜２１４ａの摩耗が懸念される場合には、カム溝部２１１ｂ〜２１４ｂに使用するカム溝を変更することで、移動部材の位置精度の劣化を防ぐことができる。
【００６４】
ここで、図７ではカム部材２１については、カム当接部材２４とのカム溝２１４の当接位置がカム溝部２１４ａからカム溝部２１４ｄを介して、カム溝部２１４ｂに変更される際に、付勢部材２３の付勢力Ｆａが付勢されることを説明した。
【００６５】
つぎに、付勢部材３０、３１、３２による移動枠３、絞りユニット４、移動枠５の付勢と移動枠３、絞りユニット４、移動枠５の移動の関係について説明する。
【００６６】
図８を参照して、移動枠３がカム溝部２１１ａからカム溝部２１１ｂにカム溝部２１１ｃを介して移動する過程で、付勢部材３０が移動枠３をカム溝部２１１ａからカム溝部２１１ｂの方向に付勢する様子を説明する。
【００６７】
ここで、図８（ａ）はレンズ鏡筒１が所定の使用条件を超える前の状態の通常の使用時において、移動枠３がカム溝部２１１ａと係合した状態であり、かつ、光軸Ｘ方向で最も撮像素子９側に位置している状態を示す。このとき、付勢部材３０は移動枠３と接しておらず、移動部材３には付勢部材３０からの付勢力は加わらない。
【００６８】
図８（ｂ）はレンズ鏡筒１が所定の使用条件を超えた後の状態で、係合するカム溝部を変更する過程で、移動枠３がカム溝部２１１ｄと係合した状態で、カム部材２１が光軸Ｘ方向に距離Ａだけ撮像素子９の方向に移動した後の状態を示す。このとき、移動部材３の光軸Ｘ方向の位置は、図８（ａ）で示した通常の使用時よりも、撮像素子９の方向に移動した位置にある。このとき、付勢部材３０は移動枠３のスリーブ部３ａと図中の距離Ｃで示す分圧縮された状態となり、移動枠３をカム溝部２１１ａからカム溝部２１１ｂの方向に付勢する付勢力Ｆｂが発生する。
【００６９】
図８（ｃ）はレンズ鏡筒１が所定の使用条件を超えた後の状態の通常の使用時において、移動枠３がカム溝部２１１ｂと係合した状態で、光軸Ｘ方向で最も撮像素子９側に位置している状態を示す。このときも、図８（ａ）の状態と同じく、付勢部材３０は移動枠３と接しておらず、移動枠３には付勢部材３０からの付勢力は加わらない。
【００７０】
したがって、付勢部材３０は、移動枠３がカム溝部２１１ａとカム溝部２１１ｂの接続部であるカム溝部２１１ｃと係合する位置にあり、通常の使用時よりも光軸Ｘ方向で撮像素子９側に位置する場合に、移動枠３をカム溝２１１ｂの方向に付勢する。なお、付勢部材３１、３２も絞りユニット４、移動枠５に対して同様の構成となっている。
【００７１】
以上より、付勢部材３０〜３２が、移動枠３、絞りユニット４、移動枠５をカム溝部２１１ａ、２１２ａ、２１３ａから、カム溝部２１１ｃ、２１２ｃ、２１３ｃを介して、カム溝部２１１ｂ、２１２ｂ、２１３ｂへ確実に移動させることができる。
【００７２】
以上より、本実施例では、レンズ鏡筒１が所定の使用条件を超えて使用される際に、通常使用しない回転位相にカム部材２１を回転させることで、カム溝部２１１ａ〜２１３ａからカム溝部２１１ｂ〜２１３ｂに移動部材の係合するカム溝部を変更できる。
【００７３】
よって、係合できるカム溝部が一つしかない構成に対して２倍の耐久性を有し、かつ、ベアリングのようなコストの高い部品を使用しない低コストな構成のレンズ鏡筒を実現することが可能となる。
【００７４】
また、本実施例では、樹脂製のカム部材を使用している。よって、金属製のカム部材を使用するのに対して、より低コストな構成で、かつ、耐久性を上げることができる。
【００７５】
以上より、本実施例のレンズ鏡筒では、低コストで、かつ、耐久性を向上させることが可能なレンズ鏡筒を提供することができる。
【００７６】
＜他の実施形態＞
前述の実施例では、移動枠３、絞りユニット４、移動枠５の係合するカム溝部を変更するための付勢手段として、弾性部材である付勢部材３０〜３２を用いる構成を説明したが、別の手段を用いることも可能である。例えば、レンズ鏡筒１の姿勢を変更可能であれば、移動枠３、絞りユニット４、移動枠５の自重を用いた付勢を行うことも可能である。
【００７７】
ここで、図９、図１０を参照して、レンズ鏡筒１の姿勢を変更可能な場合における、移動枠３、絞りユニット４、移動枠５が係合するカム溝部を変更するための構成について説明する。図９は本実施例のレンズ鏡筒１を搭載したカメラ１００の斜視図である。図１０は、レンズ鏡筒１の姿勢を重力方向に沿った姿勢した状態を示す。
【００７８】
カメラ１００は、レンズ鏡筒をチルト軸周りに回転させる駆動部としてのチルト機構１０１により、レンズ鏡筒１をチルト軸Ｘｔ周りに回転させて、姿勢を変更することが可能である。レンズ鏡筒１が所定の使用条件を経過して、使用するカム溝を変更したい場合には、図１０で示すように、移動枠３、絞りユニット４、移動枠５の自重が、変更後のカム溝の方向に働くように、レンズ鏡筒１の姿勢を変更させれば、それぞれの自重が付勢力となる。
【００７９】
なお、図１０の状態でカム部材２１は自重と反対方向に距離Ａだけ移動する必要があるため、カム部材２１を付勢する付勢部材２３は、少なくともカム部材２１および、移動枠３、絞りユニット４、移動枠５の自重の合力を超える付勢力が必要である。
【００８０】
以上のように、移動枠３、絞りユニット４、移動枠５の自重により、移動枠３、絞りユニット４、移動枠５が係合するカム溝部を変更することができる。よって、移動枠３、絞りユニット４、移動枠５の係合するカム溝部を変更するための付勢部材３０〜３２が不要になるため、コストダウンにつながる。
【００８１】
以上、本発明の好ましい実施形態について説明したが、本発明はこれらの実施形態に限定されず、その要旨の範囲内で種々の変形及び変更が可能である。
【符号の説明】
【００８２】
１  レンズ鏡筒
２、７，８  固定部材
３、５、６  移動枠
４  絞りユニット
９  撮像素子
１０〜１４  ガイドバー
１５  撮像素子基板
１６〜１７  ガイドバー
１８〜２０  カム係合部
２１  カム部材
２２  ガイドバー
２３  付勢部材
２４  カム当接部材
２５  ズームモータ
２７  フォーカスモータ
３０〜３２  付勢部材
１００  カメラ
１０１  チルト機構
【図１】
2019184853.tif 000003
【図２】
2019184853.tif 000004
【図３】
2019184853.tif 000005
【図４】
2019184853.tif 000006
【図５】
2019184853.tif 000007
【図６】
2019184853.tif 000008
【図７】
2019184853.tif 000009
【図８】
2019184853.tif 000010
【図９】
2019184853.tif 000011
【図１０】
2019184853.tif 000012